【手続補正書】
【提出日】平成23年8月18日(2011.8.18)
【手続補正１】
【補正対象書類名】特許請求の範囲
【補正対象項目名】全文
【補正方法】変更
【補正の内容】
【特許請求の範囲】
【請求項１】
少なくとも１つの針を組織内に展開するシステムであって、該システムは、
該針を組織内に展開する手段と、
該針の少なくとも一部分および少なくとも１つの解剖学的特徴を示す、該組織の画像を提供する手段と、
該画像を、投影される針治療情報とオーバーレイさせる手段と、
該解剖学的特徴の位置に関して該投影される針治療情報を評価する手段と
を含む、システム。
【請求項２】
前記画像を提供する手段は、超音波を介して画像を提供する手段を含む、請求項１に記載のシステム。
【請求項３】
前記針は、プローブから展開される、請求項１に記載のシステム。
【請求項４】
前記解剖学的特徴は、筋腫、腫瘍、および被包化された、または擬似被包化された腫瘤から成る群から選択される、請求項３に記載のシステム。
【請求項５】
前記解剖学的特徴は、筋腫を含む、請求項３に記載のシステム。
【請求項６】
前記プローブは、子宮内に位置決めされ、前記針は、前記筋腫に近接する場所または該筋腫の中に展開される、請求項５に記載のシステム。
【請求項７】
前記針情報は、投影される安全境界を含む、請求項４に記載のシステム。
【請求項８】
前記投影される針情報は、少なくとも、前記針を通して達成される治療の、投影される治療境界を含む、請求項４に記載のシステム。
【請求項９】
前記評価する手段は、漿膜が前記投影される安全境界外にあることを確認する手段を含む、請求項７に記載のシステム。
【請求項１０】
前記投影される安全境界は、前記針と前記漿膜との間の距離が０．５ｃｍ以上であることを可能にする、請求項９に記載のシステム。
【請求項１１】
前記投影される針治療情報は、投影される針展開経路を含む、請求項１に記載のシステム。
【請求項１２】
前記投影される針治療情報は、投影される治療範囲を含む、請求項１に記載のシステム。
【請求項１３】
感度の高い解剖学的特徴が前記安全境界外にある場合にのみ、治療装置を有効にする手段をさらに含む、請求項１に記載のシステム。
【請求項１４】
前記有効にする手段は、前記感度の高い解剖学的特徴が前記安全境界外であるかどうかを尋ねる、前記治療装置からのプロンプトに応答する手段を含む、請求項１３に記載のシステム。
【請求項１５】
前記画像を提供する手段は、前記針を保持するプローブ上の変換器からの画像を走査することを含む、請求項１に記載のシステム。
【請求項１６】
前記変換器は、前記画像が、前記プローブに関して固定される視野を持つように、該プローブ上に固定される、請求項１５に記載のシステム。
【請求項１７】
前記針が展開された後に、該針を介して治療を施す手段をさらに含む、請求項１に記載のシステム。
【請求項１８】
前記治療は、前記組織内の標的部位に対して、無線周波、マイクロ波、高密度焦点式超音波、液体注入、蒸気、および凍結療法から成る群から選択されるエネルギーを送達することを含む、請求項１７に記載のシステム。
【請求項１９】
前記治療は、前記針に接続される無線周波電源を介して施される、請求項１７に記載のシステム。
【請求項２０】
前記投影される針治療を評価した後に、前記電源を有効にする手段をさらに含む、請求項１９に記載のシステム。
【請求項２１】
前記投影される針治療情報は、投影される安全境界を含む、請求項１に記載のシステム。
【請求項２２】
前記投影される針治療情報は、投影される治療範囲、投影される安全部位、およびその間の部位を含む、請求項１に記載のシステム。
【請求項２３】
少なくとも１つの針を組織内に展開するシステムであって、該システムは、
該組織表面に近接して、展開可能な針を有するプローブを位置決めする手段と、
該組織の画像を実時間で提供する手段と、
該画像を、投影される針経路にオーバーレイさせる手段と、
該実時間画像上の該投影される針経路を、解剖学的特徴と整列させるように、該プローブを再位置決めする手段と、
該プローブが再位置決めされた後に、該プローブから該針を展開する手段と
を含む、システム。
【請求項２４】
前記針が展開された後に、該針の画像上の場所をマークする手段と、
該マークされた場所に基づいて、前記組織の画像に、投影される安全境界をオーバーレイさせる手段と、
感度の高い解剖構造が該安全境界外にあることを視覚的に確認する手段と
をさらに含む、請求項２３に記載のシステム。
【請求項２５】
前記視覚的に確認する手段は、前記針が、前記感度の高い解剖学的特徴に、０．５ｃｍを超えて近接しないことを確認する手段を含む、請求項２４に記載のシステム。
【請求項２６】
前記マークされた場所に基づいて、前記組織の前記画像に投影される治療境界をオーバーレイさせる手段と、
前記解剖学的特徴の少なくとも一部分が、該投影される治療境界内にあることを視覚的に確認する手段と
をさらに含む、請求項２４に記載のシステム。
【請求項２７】
前記感度の高い解剖学的特徴が前記安全境界外にある場合にのみ、治療装置を有効にする手段をさらに含む、請求項２４に記載のシステム。
【請求項２８】
実際の針の位置に基づいて、前記投影される針治療情報を更新する手段をさらに含む、請求項２４に記載のシステム。
【請求項２９】
前記有効にする手段は、前記感度の高い解剖学的特徴が前記安全境界外であるかどうかを尋ねる、前記治療装置からのプロンプトに応答する手段を含む、請求項２７に記載のシステム。
【請求項３０】
前記プローブは、子宮内に位置決めされ、前記解剖学的特徴は、筋腫を含む、請求項２３に記載のシステム。
【請求項３１】
前記画像は、前記プローブ上の変換器によって提供される、請求項２４に記載のシステム。
【請求項３２】
針を組織内に展開するシステムであって、該システムは、
展開可能な針および撮像変換器を有するプローブであって、該針は、該撮像変換器によって生成される映像フィールドの内部へと進入するように構成される、プローブと、
該変換器によって生成される該映像を表示する画面を含むシステム制御装置であって、該システム制御装置は、投影される針治療情報を持つオーバーレイを該画面上に表示する、システム制御装置と
を含む、システム。
【請求項３３】
前記針治療情報は、投影される針経路を含み、ユーザは、該投影される針経路を、前記画面上で目に見える前記映像フィールド内の標的組織と合わせるように、前記プローブを操作することができる、請求項３２に記載のシステム。
【請求項３４】
前記システム制御装置は、前記針を通して送達される治療を発生させる発生器をさらに含む、請求項３２に記載のシステム。
【請求項３５】
前記治療発生器は、無線周波、マイクロ波、高密度焦点式超音波、液体注入、蒸気、または凍結療法から成る群から選択されるエネルギーを送達するように適合される電源を含む、請求項３４に記載のシステム。
【請求項３６】
前記針情報は、投影される治療境界を含む、請求項３４に記載のシステム。
【請求項３７】
前記針情報は、投影される安全境界を含む、請求項３４に記載のシステム。
【請求項３８】
前記投影される安全境界は、前記針から少なくとも０．５ｃｍである、請求項３７に記載のシステム。
【請求項３９】
前記システムは、前記ユーザが、治療を有効にする前に、前記画面上の前記視野内の前記実際の針の位置を確認することを要求する、請求項３２に記載のシステム。
【請求項４０】
前記システムは、実際の針の位置に基づいて前記投影される針治療情報を更新する、請求項３２に記載のシステム。
【請求項４１】
子宮の解剖学的特徴を治療するためのシステムであって、該システムは、
該解剖学的特徴の近位に少なくとも１つの針を展開する手段と、
該針の露出部分を通して、該解剖学的特徴に無線周波エネルギーを送達する手段であって、該針のいかなる露出部分も、該子宮を取り囲む漿膜に、０．５ｃｍを超えて近接しない、手段と
を含む、システム。
【請求項４２】
前記解剖学的特徴は、筋腫、腫瘍、および被包化された、または擬似被包化された腫瘤から成る群から選択される、請求項４１に記載のシステム。
【請求項４３】
前記解剖学的特徴は筋腫を含む、請求項４２に記載のシステム。
【請求項４４】
前記針のいかなる部分も、０．７ｃｍを超えて近接しない、請求項４１に記載のシステム。
【請求項４５】
前記針のいかなる部分も、１ｃｍを超えて近接しない、請求項４１に記載のシステム。
【手続補正２】
【補正対象書類名】明細書
【補正対象項目名】００２０
【補正方法】変更
【補正の内容】
【００２０】
筋腫および他の解剖学的特徴を治療するための方法は、解剖学的特徴に近接して、通常は解剖学的特徴の内部で、少なくとも１つの針を子宮内で展開することをさらに含む。方法は、針アレイの中の複数の針を展開してもよい。無線周波エネルギーは、針の露出部分を通じて特徴の中に送達され、いかなる露出した針部分も、０．５ｃｍを超えて漿膜に近接せず、通常は０．７ｃｍを超えて近接せず、および好ましくは、１ｃｍを超えて近接しない。そのような方法は、漿膜を損傷することなく、多くのまたはほとんどの筋腫または他の特徴の効果的な治療を達成することができる。
例えば、本発明は以下の項目を提供する。
（項目１）
少なくとも１つの針を組織内に展開するための方法であって、該方法は、
該針を組織内に展開することと、
該針の少なくとも一部分および少なくとも１つの解剖学的特徴を示す、該組織の映像を提供することと、
該映像に、投影される針治療情報をオーバーレイさせることと、
該解剖学的特徴の位置に関連する該投影される針治療情報を評価することと
を含む、方法。
（項目２）
映像を提供することは、超音波を介して映像を提供することを含む、項目１に記載の方法。
（項目３）
上記針は、プローブから展開される、項目１に記載の方法。
（項目４）
上記解剖学的特徴は、筋腫、腫瘍、および被包化された、または擬似被包化された腫瘤から成る群から選択される、項目３に記載の方法。
（項目５）
上記解剖学的特徴は、筋腫を含む、項目３に記載の方法。
（項目６）
上記プローブは、子宮内に位置決めされ、上記針は、上記筋腫に近接する場所または該筋腫の中に展開される、項目５に記載の方法。
（項目７）
上記解剖学的特徴は、漿膜をさらに含む、項目４に記載の方法。
（項目８）
上記針情報は、投影される安全境界を含む、項目７に記載の方法。
（項目９）
上記投影される針情報は、少なくとも、上記針を通して達成される治療の、投影される治療境界を含む、項目７に記載の方法。
（項目１０）
評価することは、漿膜が上記投影される安全境界外にあることを確認することを含む、項目８に記載の方法。
（項目１１）
上記投影される安全境界は、上記針と上記漿膜との間の距離が０．５ｃｍ以上であることを容認する、項目１０に記載の方法。
（項目１２）
上記投影される針治療情報は、投影される針展開経路を含む、項目１に記載の方法。
（項目１３）
上記投影される針治療情報は、投影される治療範囲を含む、項目１に記載の方法。
（項目１４）
繊細な解剖学的特徴が上記安全境界外にある場合、治療装置を有効にすることをさらに含む、項目１に記載の方法。
（項目１５）
有効にすることは、上記繊細な解剖構造が上記安全境界外であるかどうかを尋ねる、上記治療装置からのプロンプトに応答することを含む、項目１４に記載の方法。
（項目１６）
映像を提供することは、上記針を運搬するプローブ上の変換器からの上記映像を走査することを含む、項目１に記載の方法。
（項目１７）
上記変換器は、上記映像が、上記プローブに関連して固定される視野を持つように、該プローブ上に固定される、項目１６に記載の方法。
（項目１８）
上記針が展開された後に、該針を介して治療を施すことをさらに含む、項目１に記載の方法。
（項目１９）
上記治療は、上記組織内の標的部位に対する無線周波、マイクロ波、高密度焦点式超音波、液体注入、蒸気、および凍結療法から成る群から選択されるエネルギーを送達することを含む、項目１８に記載の方法。
（項目２０）
上記治療は、上記針に接続される無線周波電源を介して施される、項目１８に記載の方法。
（項目２１）
上記投影される針治療を評価した後に、上記電源を有効にすることをさらに含む、項目２０に記載の方法。
（項目２２）
上記投影される針治療情報は、投影される安全境界を含む、項目１に記載の方法。
（項目２３）
上記投影される針治療情報は、投影される治療範囲、投影される安全部位、およびその間の部位を含む、項目１に記載の方法。
（項目２４）
少なくとも１つの針を組織内に展開するための方法であって、該方法は、
該組織表面に近接して、展開可能な針を有するプローブを位置決めすることと、
該組織の映像を実時間で提供することと、
該映像に、投影される針経路をオーバーレイさせることと、
該実時間映像上の該投影される針経路を、解剖学的特徴と合わせるように、該プローブを再位置決めすることと、
該プローブが再位置決めされた後に、該プローブから該針を展開することと
を含む、方法。
（項目２５）
上記針が展開された後に、該針の映像上に場所をマークすることと、
該マークされた場所に基づいて、上記組織の上記映像に、投影される安全境界をオーバーレイさせることと、
繊細な解剖構造が該安全境界外にあることを視覚的に確認することと
をさらに含む、項目２４に記載の方法。
（項目２６）
視覚的に確認することは、上記針が、上記繊細な解剖学的特徴に、０．５ｃｍを超えて近接しないことを確認することを含む、項目２５に記載の方法。
（項目２７）
上記マークされた場所に基づいて、上記組織の上記映像に投影される治療境界をオーバーレイさせることと、
上記解剖学的特徴の少なくとも一部分が、該投影される治療境界内にあることを視覚的に確認することと
をさらに含む、２５項目に記載の方法。
（項目２８）
上記繊細な解剖構造が上記安全境界外にある場合に、治療装置を有効にすることをさらに含む、項目２５に記載の方法。
（項目２９）
実際の針の位置に基づいて、上記投影される針治療情報を更新することをさらに含む、項目２５に記載の方法。
（項目３０）
有効にすることは、上記繊細な解剖構造が上記安全境界外であるかどうかを尋ねる、上記治療装置からのプロンプトに応答することを含む、項目２８に記載の方法。
（項目３１）
上記プローブは、子宮内に位置決めされ、上記解剖学的特徴は、筋腫を含む、項目２４に記載の方法。
（項目３２）
上記解剖構造は、漿膜を含む、項目３１に記載の方法。
（項目３３）
上記映像は、上記プローブ上の変換器によって提供される、項目２５に記載の方法。
（項目３４）
針を組織内に展開するシステムであって、該システムは、
展開可能な針および撮像変換器を有するプローブであって、該針は、該撮像変換器によって生成される映像フィールドの内部へと進入するように構成される、プローブと、
該変換器によって生成される該映像を表示する画面を含むシステム制御装置であって、該システム制御装置は、投影される針治療情報を持つオーバーレイを該画面上に表示する、システム制御装置と
を含む、システム。
（項目３５）
上記針治療情報は、投影される針経路を含み、ユーザは、該投影される針経路を、上記画面上で目に見える上記映像フィールド内の標的組織と合わせるように、上記プローブを操作することができる、項目３４に記載のシステム。
（項目３６）
上記システム制御装置は、上記針を通して送達される治療を発生させる発生器をさらに含む、項目３４に記載のシステム。
（項目３７）
上記治療発生器は、無線周波、マイクロ波、高密度焦点式超音波、液体注入、蒸気、または凍結療法から成る群から選択されるエネルギーを送達するように適合される電源を含む、項目３６に記載のシステム。
（項目３８）
上記針情報は、投影される治療境界を含む、項目３６に記載のシステム。
（項目３９）
上記針情報は、投影される安全境界を含む、項目３６に記載のシステム。
（項目４０）
上記投影される安全境界は、上記針から少なくとも０．５ｃｍである、項目３９に記載のシステム。
（項目４１）
上記システムは、上記ユーザが、治療を有効にする前に、上記画面上の上記視野内の上記実際の針の位置を確認することを要求する、項目３４に記載のシステム。
（項目４２）
上記システムは、実際の針の位置に基づいて上記投影される針治療情報を更新する、項目３４に記載のシステム。
（項目４３）
子宮の解剖学的特徴を治療するための方法であって、該方法は、
該解剖学的特徴の近位に少なくとも１つの針を展開することと、
該針の露出部分を通して、該解剖学的特徴に無線周波エネルギーを送達することであって、該針のいかなる露出部分も、該子宮を取り囲む漿膜に、０．５ｃｍを超えて近接しない、ことと
を含む、方法。
（項目４４）
上記解剖学的特徴は、筋腫、腫瘍、および被包化された、または擬似被包化された腫瘤から成る群から選択される、項目４３に記載の方法。
（項目４５）
上記解剖学的特徴は筋腫を含む、項目４４に記載の方法。
（項目４６）
上記針のいかなる部分も、０．７ｃｍを超えて近接しない、項目４３に記載の方法。
（項目４７）
上記針のいかなる部分も、１ｃｍを超えて近接しない、項目４３に記載の方法。